(57)【要約】【課題】  あらゆる種類の針に対して容易にかつスムーズに糸通しすることのできる針用糸通し器であり、また、針に余計な力が加わることがなく安全に使用することのできる針用糸通し器を提供する。【解決手段】  有底の針挿入穴４，５を有する針挿入筒３と、この針挿入穴４，５と交差する方向に挿入した針の針穴２０と連通する糸通し穴６と、押圧部材１０と連動する作動部材１１に設けた糸係止片１４と、この糸係止片１４で糸を針穴２０に糸通しする針用糸通し器において、糸載置部８に案内部８ｅを有する突部８ｂを設け、この突部の途中に設けた挿入部分と針挿入筒３側との間にやや狭く形成した挟持挿入部８ｄを設け、この挟持挿入部の下方位置の針挿入筒側に糸用糸係止溝８ｃを形成した針用糸通し器である。【選択図】        図７
2005177519.tif 000002
【特許請求の範囲】
【請求項１】
有底の針挿入穴を有する針挿入筒と、この針挿入穴と交差する方向に挿入した針の針穴と連通する糸通し穴と、押圧部材と連動する作動部材に設けた糸係止片と、この糸係止片で糸を針穴に糸通しする針用糸通し器において、糸載置部に案内部を有する突部を設け、この突部の途中に設けた挿入部分と針挿入筒側との間にやや狭く形成した挟持挿入部を設け、この挟持挿入部の下方位置の針挿入筒側に糸用糸係止溝を形成したことを特徴とする針用糸通し器。
【発明の詳細な説明】
【技術分野】
【０００１】
本発明は、針の針穴に簡単に糸を通すことができる針用糸通し器に関する。
【背景技術】
【０００２】
従来より、針用糸通し器には、針を挿入するための有底の針挿入孔と、針挿入孔に交差する糸通し孔とを設けておき、本体内に糸通し孔に糸を掛け入れる薄板状の糸係止部材を設け、この糸係止部材を本体内部を摺動する動作部に取付け、動作部を動作させたときに糸係止部材が糸通し孔に挿脱して糸通しを可能とした針用糸通し器が知られている（特許文献１参照）。
【０００３】
この場合、操作時には、先ず針挿入孔に針を挿入しておき、続いて本体に設けた操作部に力を加えると操作部と連動した糸係止部材の先端部が針穴に挿入し、この先端部に糸を係止して針穴に糸を通すようにしている。
このとき、糸係止部材の先端部を針穴に挿脱させるようにするために、例えば、針を挿入する方向に従って針挿入孔の形状が細くなるように形成しておき、針をこの針挿入孔に所定の向きで挿入したときに針が針挿入孔の向きに挿入され、この状態で糸通しできるようにしたものがある。
【０００４】
ところで、挿入する針が太かったり、或は、針穴が細径であったりすると、針を針挿入孔の途中までしか挿入できなかったり、又は針穴を所定の向きでセットすることが難しくなったりして糸係止部材を針穴に挿入することができず、この状態で更に操作部に力を加えると、針穴に糸を通すことができなくなったり、糸係止部材と針本体が接触した状態で余計な力が加わったりして、針が折れ曲がったり、糸通し器本体が破損したりするおそれがあった。
【０００５】
このため、糸係止部材と一体化している動作部の一部に切欠きを設けておき、糸係止部材と針とが接触した状態で操作部に更に力を加えたときには、この切欠きに力が働くことによって動作部が曲折して力が分散し、針に余計な力が加わらないようにしたものがある。
【０００６】
一方において、糸通しの別の手段としては、針挿入孔に挿入した針に対して、先ず、第２の動作体を動作させ、この第２の動作体の先端に設けた突起部を針穴に挿通させて針穴を所定の向きにしておいてから、次に、第１の動作体である糸係止部材を動作させ、第１動作体の先端部を第２動作体の先端部に当接させるようにしてガイドとして第２の動作体を利用して針穴に糸を通すようにしようとしたものがある。
【特許文献１】特開２０００−１８５１８９号公報
【発明の開示】
【発明が解決しようとする課題】
【０００７】
しかしながら、針には絹用、木綿用等の多数の種類があり、これらの針は、極端に径が太かったり、又は針穴が狭かったりしたり、或は、針穴の位置は、針の種類などによって異なるため、糸係止部材の摺動位置に針穴の位置を合わせることが困難になり、この場合には、糸係止部材を針穴に通すことが難しくなり、糸通しするのが困難であった。
【０００８】
また、これらの糸係止部材に糸が係止する際には、糸係止部材の進行方向に対して糸を２つ折り状にして係止させるようにしているため、特に細い針に対して糸通しする場合には、針穴が狭くなり、針穴の横幅に対して糸係止部材と２つ折り状にした糸幅が大きくなるため、針穴に対して糸係止部材と糸が挿入できないことがあったり、或は、途中で糸がほつれたりして糸通しできなくなる場合があった。
【０００９】
一方、第１、第２の動作体を利用して糸通しする場合においては、第２の動作体を動作させたときに、この動作体の先端部が確実に挿入されないことがあり、この状態で第１の動作体を動作させたとしても、糸係止部材が針挿入穴と針との間に挟まったりする等のおそれがある。
【００１０】
しかも、これらの糸通し器は、動作部に切欠きを設けているが、針に糸係止部材が当接した状態で押圧力を加え続けると、この力が動作部にそのまま働き続けることになるので、針が折れ曲がったりして安全に使用できるとは言い難かった。
【００１１】
本発明は、従来の実情に鑑みて鋭意検討の結果、開発に至ったものであり、その目的とするところは、あらゆる種類の針に対して容易にかつスムーズに糸通しすることのできる針用糸通し器であり、また、針に余計な力が加わることがなく安全に使用することのできる針用糸通し器を提供することにある。
【課題を解決するための手段】
【００１２】
上記の目的を達成するため、請求項１に係る発明は、有底の針挿入穴を有する針挿入筒と、この針挿入穴と交差する方向に挿入した針の針穴と連通する糸通し穴と、押圧部材と連動する作動部材に設けた糸係止片と、この糸係止片で糸を針穴に糸通しする針用糸通し器において、糸載置部に案内部を有する突部を設け、この突部の途中に設けた挿入部分と針挿入筒側との間にやや狭く形成した挟持挿入部を設け、この挟持挿入部の下方位置の針挿入筒側に糸用糸係止溝を形成した針用糸通し器である。
【発明の効果】
【００１３】
以上のことから明らかなように、本発明の針用糸通し器は、糸通し時において各針ごとに針穴の位置を移動させるようにしながら糸通しすることができるため、様々な種類の針や、細径の針又は短い針、或は頭部の長さが異なったり、針の針穴が小さい場合、或はその他各種の針であっても容易にかつ確実に糸通しすることができ、従来の問題点を一挙に解決できた。
【００１４】
また、針穴が狭い場合でも糸通しを行なうことができる針用糸通し器であると共に、使用する糸径が大である場合でも糸がほつれたり、或は切れたりすることなく、簡単に糸通しすることが可能である。
【００１５】
更には、糸通しが難しい場合には、押圧力を加えたとしても本体内に力が加わり続けることがないため、使用中に糸係止片が損傷して再使用が不可となることが全くなく、安全に使用することができる。
【発明を実施するための最良の形態】
【００１６】
以下に、本発明における針用糸通し器の一実施形態を図面に従って説明する。
図１において、本発明の針用糸通し器を分解した状態を示しており、図中１（又は）２は、本体を構成する一対のハウジングのうちの１つである。
本体（分割ハウジング１，２）は、合成樹脂、例えばポリアセタール等の熱可塑性樹脂等で形成し、外形を断面略逆Ｔ字状に形成して底部に略方形状の台座面１ａ，２ａを設け、作業机等の載置面上に置いた際に安定するようにしている。
【００１７】
また、針Ａをセットするための筒状の針挿入筒３，３を垂直方向に沿って両側に立設している。これらの針挿入筒３，３には、径の異なる有底の針挿入穴４，５、例えば、絹針用の細径からなる針挿入穴４と木綿針用の太い径の針挿入穴５を開口部４ａ，５ａを上方に向けてそれぞれ設け、また、針挿入穴４，５に挿入した針Ａの針穴２０と連通するように針挿入穴４，５の底部近傍位置に糸通し穴６を針挿入穴４，５と交差するように形成し、かつ、後述する円弧状に設けた薄板からなる糸係止片１４と略同形状になるように緩やかな円弧状に穿孔している。
【００１８】
針挿入穴４，５の開口部４ａ，５ａは、針Ａを挿入し易いようにテーパ状に形成し、かつ、針Ａの針穴２０付近が扁平状に形成されていることを利用して挿入した針Ａの針穴２０が糸通し穴６と連通しやすいように底部分がテーパ部を経て扁平状に形成されている。
【００１９】
糸通し穴６は、糸Ｂが入りやすく且つ入った糸Ｂが抜け出にくいように、糸係止片１４が進入する入口に対して出口の方が細状になるように形成し、更に、針挿入筒３，３の内側面には、分割面に沿って針挿入穴４，５の開口部から底部近傍の糸通し穴６付近まで、針挿入穴４，５に連通するスリット４ｂ，５ｂを設けている。
【００２０】
更に、本体１，２の両側には、針挿入筒３の糸通し穴６の入口近傍で、糸係止片１４が移動する軌跡上に、断面鋭角状の糸を載置するための載置部８を形成している。この載置部８は、本体１，２の表面と針挿入筒３の外周面との間に設けられている。具体的には、図７及び図８において、通路８ａの本体１，２側に、案内部８ｅを有する突部８ｂを形成し、載置部８の針挿入筒３側に係止溝８ｃを形成し、突部８ｂの挿入部分は、やや狭く挟持挿入部８ｄを形成している。糸Ｂは、案内部８ｅから挟持挿入部８ｄを通って係止溝８ｃに確実に保持される。
【００２１】
分割ハウジング１の内面には、押圧可能な押圧部材１０に図示しない突状部を設け、この突状部をガイドする一対のガイド片を突設し、押圧部材１０を台座面１ａに対して直交方向にスライド可能に設けている。
更に、もう一方の分割ハウジング２の内面には、図示しない一対の当接片を適当間隔離間して設け、これらの当接片は、共に突出長さが同一であり、前述したガイド片とで押圧部材１０を挾持して、押圧部材１０を本体の分割面に対して並行、即ち、載置面（台座面１ａ，２ａ）に対して垂直にスライドさせる機能を有している。
【００２２】
分割ハウジング１の両側付近に内面側に突設するように設けた軸１ｃには、合成樹脂で成形した作動部材１１を回動自在に軸支し、各作動部材１１の自由端側には、糸Ｂを針穴２０に挿入して糸通しするための糸係止片１４を設けている。
【００２３】
この糸係止片１４は、針穴２０の横幅よりも薄い金属板であり、その材料としては、例えばステンレス鋼板を用いて鎌状に形成したものであり、前述した糸通し穴６に挿入される糸係止片１４の先端部位は、針穴２０の縦幅よりも細く、糸係止片１４の回動軌跡に合わせた略円弧状に形成している。
略Ｕ字形を呈する糸係止片１４の先端面１５には、下片１５ａを上片１５ａより突出するように形成し、糸Ｂを先端面１５に係止したときに上片１５ａと下片１５ｂとの間の溝状部位を埋めるように係止して図３に示すような角度θを有する略斜め形状を呈することができる。
【００２４】
図５において、２２は、糸通し穴６に沿って突設して形成した案内部であり、案内部２２において糸係止片１４の挿入側には略円弧状のテーパ部２２ａを設けている。  糸係止片１４は、摺動したときに一側面がこの案内部２２と密接すると共に、また、このとき上面１４ａが案内部２２の上面２２ｂより若干高くなるように設けている。
【００２５】
３０はカム板であり、このカム板３０は、強度を持たせた合成樹脂で成形し、中央部位から突設した係止部３０ａと、作動部材１１を作動させるための作用部３０ｂとを有している。作用部３０ｂは、カム板３０本体から略Ｕ字形状に曲折するように形成し、更に、この曲折部位に切欠部３０ｄを設けている。また、作用部３０ｂ，３０ｂには、略逆ハ字形状になるような長穴３０ｃ，３０ｃをそれぞれ設けている。なお、カム板３０は、ガラス材を含有したポリアセタール樹脂等で形成して弾性をもたせているが、ばね鋼を使用することも可能である。
【００２６】
１１ａは、作動部材１１から突出するように設けた突起であり、この突起１１ａ，１１ａを長穴３０ｃ，３０ｃに挿入した状態で作動部材１１を取付け、カム板３０を上下動させたときに長穴３０ｃの上下動と連動して各作動部材１１，１１が軸１ｃを中心に回動可能になるように構成している。
カム板３０の下端には、カム板３０が上方向に弾発付勢するようにハウジング１，２との間にコイルスプリング１２を設けており、通常時においては、カム板３０は上昇付勢しているので、これに伴って作動部材１１，１１は内側に回動した状態を維持している。
【００２７】
押圧部材１０は合成樹脂等で成形し、内側には弾性を有する合成樹脂等で成形したストッパ片３１をネジ３１ａ等の螺着手段で固着している。このストッパ片３１は、長尺状の板バネ部３１ｂと、この板バネ部３１ｂの先端側にはカム板３０の係止部３０ａの上端面側から係止可能に一部を切り欠いて形成したストッパ部３１ｃを設け、押圧部材１０を押圧したときには、ストッパ部３１ｃが係止部３０ａに係止した状態を保つため、押圧部材１０とカム板３０は一体となって下方に移動する。
【００２８】
３２はバネであり、このバネ３２の一端側は、押圧部材１０の下部に設けた突状の突片１０ａに掛設し、また、他端を本体１又は２内部に掛設して押圧部材１０を上昇付勢するようにしている。
従って、カム板３０と押圧部材１０は、それぞれコイルスプリング１２、バネ３２によって独立した状態で上方に弾発付勢しているが、通常時は、カム板３０の係止部３０ａがストッパ片３１のストッパ部３１ｃに係止しているため、押圧部材１０とカム板３０とは一体の状態で上方に押し上げられている。
【００２９】
１ｆは、本体１，２の内側方向に突設して設けた凸部であり、押圧部材１０を押圧したときにストッパ片３１に設けたテーパ部３１ｄが接触可能になるように設け、押圧部材１０を押圧可能な限界位置まで押圧してこのテーパ部３１ｄが接触するとカム板３０と押圧部材１０との係止が外れ、カム板３０のみを上方に付勢するようにしている。
【００３０】
なお、本実施形態においては針挿入穴３を２箇所に設け、一度に２つの針Ａに対して糸通し可能に設けているが、針挿入穴３は１箇所であってもよい。
また、必要に応じて図示しない刃を本体１，２に設けるとよく、例えば、本体１，２上部に設け、この刃の切断面に連通するように略Ｌ字状の溝状部位を形成すれば、この溝状部位内に糸Ｂを通すことによって安全に糸切りすることができる。
【００３１】
次に、上述の実施形態における作用を説明する。
針穴２０に糸通しする場合には、先ず、図８に示すように、針Ａを針挿入穴４，５に挿入すると共に、糸Ｂを載置部８に挟持状態で確実に載置する。次に、押圧部材１０をカム板３０の下部に設けたコイルスプリング１２の弾発力に抗して押し下げると、カム板３０と連動している作動部材１１，１１が軸１ｃを中心に外側方向に回転し、糸係止片１４の先端面１５で載置部８上にセットされた糸Ｂを係止しながら糸通し穴６内に引込むようにして糸通しを行う。
【００３２】
このとき、図４に示すように、針穴２０に対して糸係止片１３の下片１５ｂ側から挿入し、更に、糸係止片１４を摺動させると、糸Ｂを係止した状態の糸係止片１４の先端面１５側は角度θの略斜め形状となっているため、糸Ｂが針Ａとの接触部位において緩衝しながら針Ａを上方に持ち上げて糸通しすることができ、従って、針挿入穴４（又は５）に対して針Ａの径が大きく、針穴２０が糸係止片１４の摺動位置に対してずれた場合でも糸通しすることができ、また、針Ａの針穴２０から頭部部位の長さが異なっている場合、又は、細い針の径が異なって細径針であっても、或は、針の針穴が変形したり、極めて小さい場合でも糸通しすることができる。なお、針Ａが糸係止片１４によって上方に持ち上げられたときには、針Ａが載置していた部分は空間となる。
【００３３】
また、糸通し穴６に沿って案内部２２を形成しているので、針Ａが細く、針穴２０が狭い場合でも糸通しすることができる。図５に示すように針Ａを針挿入穴４（又は５）に挿入し、押圧部材１０を押圧して糸係止片１４を摺動させると、糸Ｂは、糸係止片１４の先端面１５に係止した状態で摺動し、この状態で案内部２２に差し掛かると、２つ折り状の糸Ｂの一方側がテーパ部２２ａによって案内部２２の上面側に押し上げられる。
更に、糸係止片１４が摺動すると、この押し上げられた糸Ｂの一方側は、糸係止片１４の一側面に密接しながら移動し、また、糸Ｂの他方側は糸係止片１４の上面側に分かれた状態で針穴２０に入るので、針穴２０の幅が狭い場合でも容易に糸Ｂを針穴２０に挿入させることができ、また、糸がほつれたりするのを防ぐことができる。
【００３４】
一方、針Ａの径が大きく、針挿入穴５に挿入することができない場合においては安全に使用することができる。
例えば、押圧部材１０を押し下げたときに糸係止片１４が針Ａに当接する場合には、この状態で更に押圧部材１０を押圧したときに作動部材１１，１１が回転しようとするが、針Ａが糸通し穴６を邪魔しているために糸係止片１４が挿通できず、作動部材１１は摺動できなくなる。
【００３５】
この状態において更に押圧力を加えようとした場合には、ストッパ片３１のストッパ部３１ｃとカム板３０の係止部３０ａとの接触面に加わろうとするため、カム板３０が押圧可能な最下位付近まで到達すると、ストッパ片３１に設けた斜面部３１ｄが本体の凸部１ｂに接触し、斜面部３１ｄが凸部１ｂに沿って摺動して板バネ部３１ｂが弾発力に抗して反り、係止部３０ａとストッパ部３１ｃとの係止が外れる。
【００３６】
従って、カム板３０とストッパ片３１との係止が外れ、押圧部材１０のみが下方に移動するためカム板３０は下方に移動し続けることがなく、スプリング１２によって上昇付勢するので、針Ａや糸係止片１４等に余計な力が加わることがなく、針Ａが折れたり、糸係止片１４が曲がったりして本体が故障するおそれがない。
【００３７】
なお、押圧部材を押したときの押圧力は、突起１１ａと長穴３０ｃとの接触部分にも加わっているが、切欠部３０ｄを設けているため、作用部３０ｂを屈曲方向に曲げる方向に力が加わり、力を分散させることができる。
【００３８】
針挿入筒３に形成する針挿入穴４，５の径は異径であっても同径であってもよく、どちらか一方側の糸通しが困難な状態で押圧部材１０を押圧し続けたとしても、上記の作用が同様に働くため、押圧力が緩和され、糸係止片１４と針Ａに押圧力が加わり続けることがない。
【図面の簡単な説明】
【００３９】
【図１】本発明の針用糸通し器の一実施形態の内部状態を示す分解正面図である。
【図２】糸係止片の動作状態を示す説明図である。
【図３】糸係止片の一部拡大図である。
【図４】糸係止片の動作状態を示す説明図である。
【図５】案内部付近を示す一部拡大説明図である。
【図６】図５の拡大正面図である。
【図７】針挿入筒の一部拡大図である。
【図８】針挿入筒の一部切欠き拡大斜視図である。
【図９】針用糸通し器の一実施形態の内部状態を示す分解斜視図である。
【図１０】図１の一部拡大図である。
【図１１】図９の一部拡大図である。
【符号の説明】
【００４０】
３  針挿入筒
４，５  針挿入穴
６  糸通し穴
８ｂ  突部
８ｃ  係止溝
８ｄ  挟持挿入部
８ｅ  案内部
１０  押圧部材
１１  作動部材
１４  糸係止片
１４ａ  上面
１５  先端面
１５ａ  上片
１５ｂ  下片
２０  針穴
２２  案内部
２２ａ  テーパ部
２２ｂ  上面
３０  カム板
Ａ  針
Ｂ  糸
【図１】
2005177519.tif 000003
【図２】
2005177519.tif 000004
【図３】
2005177519.tif 000005
【図４】
2005177519.tif 000006
【図５】
2005177519.tif 000007
【図６】
2005177519.tif 000008
【図７】
2005177519.tif 000009
【図８】
2005177519.tif 000010
【図９】
2005177519.tif 000011
【図１０】
2005177519.tif 000012
【図１１】
2005177519.tif 000013